(57)【要約】【課題】複数の印刷ジョブを一のメディアに実行する印刷態様に応じたコスト算出技術を提供する。【解決手段】複数の印刷ジョブを一のメディアの互いに異なる部分に実行する印刷処理を複数のメディアに対して実行する印刷システムにおいて、一のメディアに対する複数の印刷ジョブの実行順序に関する実行順序情報と、複数の印刷ジョブそれぞれの成功回数に関する成功回数情報とを取得する情報取得部と、実行順序情報および成功回数情報に基づき、複数のメディアに対する印刷処理に関するコストを算出するコスト算出部とを備える。【選択図】図１
2019045935.tif 000002
【特許請求の範囲】
【請求項１】
複数の印刷ジョブを一のメディアの互いに異なる部分に実行する印刷処理を複数のメディアに対して実行する印刷システムにおいて、
前記一のメディアに対する前記複数の印刷ジョブの実行順序に関する実行順序情報と、前記複数の印刷ジョブそれぞれの成功回数に関する成功回数情報とを取得する情報取得部と、
前記実行順序情報および前記成功回数情報に基づき、前記複数のメディアに対する前記印刷処理に関するコストを算出するコスト算出部と
を備える印刷コスト管理装置。
【請求項２】
前記コスト算出部は、前記複数の印刷ジョブの全てが成功した前記一のメディアの生産に要した良品コストを算出する請求項１に記載の印刷コスト管理装置。
【請求項３】
前記コスト演算部は、前記複数の印刷ジョブのうち最後に実行される印刷ジョブの成功回数を前記成功回数情報から求めた結果に基づき、前記良品コストを算出する請求項２に記載の印刷コスト管理装置。
【請求項４】
前記コスト算出部は、前記複数の印刷ジョブのいずれかが失敗した前記一のメディアに費やした不良品コストを算出する請求項１に記載の印刷コスト管理装置。
【請求項５】
前記コスト算出部は、前記複数のメディアに対する前記印刷処理に要したトータルコストから、前記複数の印刷ジョブの全てが成功した前記メディアの生産に要した良品コストを減算することで前記不良品コストを算出する請求項４に記載の印刷コスト管理装置。
【請求項６】
前記一のメディアはＴシャツであり、前記実行順序情報は前記複数の印刷ジョブがＴシャツの互いに異なる部分に実行される順序である請求項１から５のいずれか一項に記載の印刷コスト管理装置。
【請求項７】
複数の印刷ジョブを一のメディアの互いに異なる部分に実行する印刷処理を複数のメディアに対して実行する印刷システムにおける前記複数の印刷ジョブの前記一のメディアに対する実行順序に関する実行順序情報と、前記複数の印刷ジョブそれぞれの成功回数に関する成功回数情報とを取得する工程と、
前記実行順序情報および前記成功回数情報に基づき、前記複数のメディアに対する前記印刷処理に関するコストを算出する工程と
を備える印刷コスト管理方法。
【請求項８】
複数の印刷ジョブを一のメディアの互いに異なる部分に実行する印刷処理を複数のメディアに対して実行する印刷システムにおいて、前記複数のメディアのそれぞれを識別する識別子を生成して、前記印刷ジョブの実行に伴う消耗品の消費量を、前記印刷ジョブの実行対象となった前記メディアの識別子と関連付けて記憶する記憶部と、
同一の識別子に関連付けられた前記消費量の和に基づき、前記複数の印刷ジョブの実行に要したコストを前記メディア毎に算出するコスト算出部と
を備える印刷コスト管理装置。
【請求項９】
複数の印刷ジョブを一のメディアの互いに異なる部分に実行する印刷処理を複数のメディアに対して実行する印刷システムにおいて、前記複数のメディアのそれぞれを識別する識別子を生成する工程と、
前記印刷ジョブの実行に伴う消耗品の消費量を、前記印刷ジョブの実行対象となった前記メディアの識別子と関連付けて記憶する工程と、
同一の識別子に関連付けられた前記消費量の和に基づき、前記複数の印刷ジョブの実行に要したコストを前記メディア毎に算出する工程と
を備える印刷コスト管理方法。
【発明の詳細な説明】
【技術分野】
【０００１】
この発明は、画像をメディアに印刷する印刷ジョブを実行するのに要したコストを管理する技術に関する。
【背景技術】
【０００２】
印刷ジョブを実行することで、印刷ジョブが示す画像をメディアに印刷する印刷技術が一般に知られている。また、商用目的で印刷を行うような状況等では、特許文献１に示されるように、印刷に要するコストを把握したいといったニーズがある。
【先行技術文献】
【特許文献】
【０００３】
【特許文献１】特開２０１６−１７０６４６号公報
【発明の概要】
【発明が解決しようとする課題】
【０００４】
ところで、例えばＴシャツに画像を印刷する際には、前身頃、後身頃、右袖および左袖のそれぞれに印刷ジョブを実行することで、１枚のＴシャツを生産するといったことが行われる。ただし、特許文献１では、このように一のメディア（Ｔシャツ）の異なる部分に複数の印刷ジョブを実行する場合は想定されておらず、このような場合にコストを算出することは容易でなかった。
【０００５】
この発明は、上記課題に鑑みなされたものであり、複数の印刷ジョブを一のメディアに実行する印刷態様に応じたコスト算出技術の提供を目的とする。
【課題を解決するための手段】
【０００６】
本発明の第１態様に係る印刷コスト管理装置は、複数の印刷ジョブを一のメディアの互いに異なる部分に実行する印刷処理を複数のメディアに対して実行する印刷システムにおいて、一のメディアに対する複数の印刷ジョブの実行順序に関する実行順序情報と、複数の印刷ジョブそれぞれの成功回数に関する成功回数情報とを取得する情報取得部と、実行順序情報および成功回数情報に基づき、複数のメディアに対する印刷処理に関するコストを算出するコスト算出部とを備える。
【０００７】
本発明の第１態様に係る印刷コスト管理方法は、複数の印刷ジョブを一のメディアの互いに異なる部分に実行する印刷処理を複数のメディアに対して実行する印刷システムにおける複数の印刷ジョブの一のメディアに対する実行順序に関する実行順序情報と、複数の印刷ジョブそれぞれの成功回数に関する成功回数情報とを取得する工程と、実行順序情報および成功回数情報に基づき、複数のメディアに対する印刷処理に関するコストを算出する工程とを備える。
【０００８】
このように構成された本発明の第１態様（印刷コスト管理装置および方法）では、複数の印刷ジョブの一のメディアに対する実行順序に関する実行順序情報と、複数の印刷ジョブそれぞれの成功回数に関する成功回数情報とが取得される。そして、実行順序情報および成功回数情報に基づき、複数のメディアに対する印刷処理に関するコストが算出される。こうして、複数の印刷ジョブを一のメディアに実行する印刷態様に応じて、コストを算出することが可能となっている。
【０００９】
この際、コスト算出部は、複数の印刷ジョブの全てが成功したメディアの生産に要した良品コストを算出するように、印刷コスト管理装置を構成してもよい。かかる構成では、複数の印刷ジョブを一のメディアに実行する印刷態様に応じて良品コストを算出することができる。
【００１０】
具体的には、コスト演算部は、複数の印刷ジョブのうち最後に実行される印刷ジョブの成功回数を成功回数情報から求めた結果に基づき、良品コストを算出するように、印刷コスト管理装置を構成してもよい。つまり、メディアに印刷を行う現場では、複数の印刷ジョブが実行順序に従って順に一のメディアに対して実行される。また、かかる現場では、一のメディアに対する複数の印刷ジョブのうち一の印刷ジョブが失敗すると、実行順序において一の印刷ジョブより後の印刷ジョブを中止することが合理的な運用である。なぜなら、後の印刷ジョブに要するコストをカットできるからである。そして、かかる運用によれば、複数の印刷ジョブのうち最後に実行される印刷ジョブの成功回数が、良品（すなわち、複数の印刷ジョブの全てが成功したメディア）の数となる。そこで、この成功回数に基づき良品コストを算出することで、良品コストを的確に求めることが可能となる。
【００１１】
また、コスト算出部は、複数の印刷ジョブのいずれかが失敗したメディアに費やした不良品コストを算出するように、印刷コスト管理装置を構成してもよい。かかる構成では、複数の印刷ジョブを一のメディアに実行する印刷態様に応じて不良品コストを算出することができる。
【００１２】
また、コスト算出部は、複数のメディアに対する印刷処理に要したトータルコストから、複数の印刷ジョブの全てが成功したメディアの生産に要した良品コストを減算することで不良品コストを算出するように、印刷コスト管理装置を構成してもよい。これによって、不良品コストを簡便に算出することができる。
【００１３】
また、一のメディアはＴシャツであり、実行順序情報は複数の印刷ジョブがＴシャツの互いに異なる部分に実行される順序であるように、印刷コスト管理装置を構成しても良い。これによって、複数の印刷ジョブを一のＴシャツに実行する印刷態様に応じて、コストを算出することが可能となる。
【００１４】
本発明の第２態様に係る印刷コスト管理装置は、複数の印刷ジョブを一のメディアの互いに異なる部分に実行する印刷処理を複数のメディアに対して実行する印刷システムにおいて、印刷処理の対象となる複数のメディアのそれぞれを識別する識別子を生成して、印刷ジョブの実行に伴う消耗品の消費量を、前記印刷ジョブの実行対象となった前記メディアの識別子と関連付けて記憶する記憶部と、同一の識別子に関連付けられた消費量の和に基づき、複数の印刷ジョブの実行に要したコストをメディア毎に算出するコスト算出部とを備える。
【００１５】
本発明の第２態様に係る印刷コスト管理方法は、複数の印刷ジョブを一のメディアの互いに異なる部分に実行する印刷処理を複数のメディアに対して実行する印刷システムにおいて、印刷処理の対象となる複数のメディアのそれぞれを識別する識別子を生成する工程と、印刷ジョブの実行に伴う消耗品の消費量を、印刷ジョブの実行対象となったメディアの識別子と関連付けて記憶する工程と、同一の識別子に関連付けられた消費量の和に基づき、複数の印刷ジョブの実行に要したコストをメディア毎に算出する工程とを備える。
【００１６】
このように構成された本発明の第２態様（印刷コスト管理装置および方法）では、印刷処理の対象となる複数のメディアのそれぞれを識別する識別子が生成され、印刷ジョブの実行に伴う消耗品の消費量が、印刷ジョブの実行対象となったメディアの識別子と関連付けて記憶される。そして、同一の識別子に関連付けられた消費量の和に基づき、複数の印刷ジョブの実行に要したコストがメディア毎に算出される。したがって、一のメディアに対する複数の印刷ジョブの実行に伴うコストを、個々のメディアについて算出することが可能となっている。その結果、複数の印刷ジョブを一のメディアに実行する印刷態様に応じて、コストを算出することが可能となっている。
【図面の簡単な説明】
【００１７】
【図１】本発明の第１実施形態を模式的に示す図である。
【図２】本発明の第１実施形態で実行される印刷動作を示すフローチャート。
【図３】図２のフローチャートで実行される実行順序ＩＤの設定例を示す図。
【図４】図２のフローチャートで収集されるジョブデータの一例を示す図。
【図５】本発明の第１実施形態で実行されるコスト管理動作を示すフローチャート。
【図６】図５のフローチャートで実行されるコスト算出での一動作例を示す図。
【図７】本発明の第２実施形態で実行される印刷動作を示すフローチャート。
【図８】図７のフローチャートで収集されるジョブデータの一例を示す図。
【図９】本発明の第３実施形態を模式的に示す図。
【発明を実施するための形態】
【００１８】
図１は本発明の第１実施形態を模式的に示す図である。第１実施形態では、４台のプリンター１と、プリンター１による印刷を管理する印刷管理装置３と、プリンター１による印刷に要したコストを管理するコスト管理装置５とが具備されており、Ｔシャツに対して印刷が実行される。なお、４台のプリンター１を区別するために、異なる符合１Ａ〜１Ｄを適宜用いる。各プリンター１は、インクを吐出することでＴシャツに画像を印刷するインクジェットプリンターである。特にプリンター１ＡはＴシャツの前身頃に印刷を実行し、プリンター１ＢはＴシャツの後身頃に印刷を実行し、プリンター１ＣはＴシャツの右袖に印刷を実行し、プリンター１ＤはＴシャツの左袖に印刷を実行する。
【００１９】
印刷管理装置３はプリンタードライバーがインストールされたパーソナルコンピューターであり、演算部３１および記憶部３３を備える。演算部３１は、ＣＰＵ(Central Processing Unit)およびＲＡＭ(Random access memory)等で構成されたプロセッサーであり、記憶部３３はＨＤＤ(Hard Disk Drive)等で構成されている。演算部３１は、ユーザーの入力操作に応じて、前身頃用、後身頃用、右袖用および左袖用の印刷ジョブＪａ、Ｊｂ、Ｊｃ、Ｊｄをそれぞれ生成して、プリンター１Ａ、１Ｂ、１Ｃ、１Ｄに送信する。そして、プリンター１Ａ、１Ｂ、１Ｃ、１Ｄのそれぞれは、印刷ジョブＪａ、Ｊｂ、Ｊｃ、Ｊｄを実行することで、Ｔシャツのうちの担当部分（前身頃、後身頃、右袖、左袖）に印刷ジョブＪａ、Ｊｂ、Ｊｃ、Ｊｄが示す画像を印刷する。こうして、複数の印刷ジョブＪａ、Ｊｂ、Ｊｃ、Ｊｄを１枚のＴシャツの互いに異なる部分に実行する印刷処理が、複数枚のＴシャツに対して実行される。
【００２０】
コスト管理装置５はコスト管理用ソフトウェアがインストールされたパーソナルコンピューターであり、コスト算出部５１、情報取得部５３およびディスプレイ５５を備える。コスト算出部５１は、ＣＰＵおよびＲＡＭ等で構成されたプロセッサーであり、情報取得部５３は各プリンター１からデータ（情報）を収集・記憶するデータベースである。
【００２１】
図２は本発明の第１実施形態で実行される印刷動作を示すフローチャートであり、図３は図２のフローチャートで実行される実行順序ＩＤの設定例を示す図であり、図４は図２のフローチャートで収集されるジョブデータの一例を示す図である。ステップＳ１０１では、ユーザーは、前身頃用、後身頃用、右袖用および左袖用の印刷ジョブＪａ、Ｊｂ、Ｊｃ、Ｊｄを印刷管理装置３により生成する。こうして生成された印刷ジョブＪａ、Ｊｂ、Ｊｃ、Ｊｄは、印刷管理装置３の記憶部３３に保存される。
【００２２】
ステップＳ１０２では、ユーザーは、１枚のＴシャツに対する印刷ジョブＪａ、Ｊｂ、Ｊｃ、Ｊｄの実行順序を示す実行順序ＩＤを印刷管理装置３に設定する。図３に示す例では、実行順序ＩＤが示す数字の順、すなわち、前身頃（１）、後身頃（２）、右袖（３）および左袖（４）の順に印刷を行うと設定された例が示されている。すなわち、この例によれば、プリンター１Ａ、１Ｂ、１Ｃ、１Ｄの実行順序で、１枚のＴシャツに対して印刷を実行するように、ユーザーにより運用がなされる。この際、１枚のＴシャツに対する複数の印刷ジョブＪａ、Ｊｂ、Ｊｃ、Ｊｄのうち一の印刷ジョブ（例えば、印刷ジョブＪｂ）が失敗すると、ユーザーは実行順序ＩＤにおいて当該一の印刷ジョブより後の印刷ジョブ（例えば、印刷ジョブＪｃ、Ｊｄ）を中止する。これによって、後の印刷ジョブに要するコストのカットを図る。
【００２３】
ステップＳ１０３では、印刷ジョブＪａ、Ｊｂ、Ｊｃ、Ｊｄのそれぞれがプリンター１Ａ、１Ｂ、１Ｃ、１Ｄに送信されて、プリンター１Ａ、１Ｂ、１Ｃ、１Ｄは受信した印刷ジョブＪａ、Ｊｂ、Ｊｃ、Ｊｄを実行する。かかる印刷は、例えば複数枚（例えば１００枚）のＴシャツを１ロットとして、１ロットずつ印刷ジョブＪａ、Ｊｂ、Ｊｃ、Ｊｄを順番に実行してもよいし、１枚のＴシャツに対して印刷ジョブＪａ、Ｊｂ、Ｊｃ、Ｊｄを順番に実行してもよい。なお、各プリンター１の間のＴシャツの運搬は、ユーザーによって実行されてもよいし、運搬機構によって自動で実行されてもよい。
【００２４】
ステップＳ１０３と並行して、印刷ジョブＪａ、Ｊｂ、Ｊｃ、Ｊｄの実行状況を示すジョブデータＤｊがプリンター１Ａ、１Ｂ、１Ｃ、１Ｄからコスト管理装置５に転送されて、情報取得部５３に記憶される（ステップＳ１０４）。図４に示すように、ジョブデータＤｊは、１回目、２回目、…、Ｎ回目、…それぞれの前身頃用（１）、後身頃用（２）、右袖用（３）および左袖用（４）の印刷ジョブＪａ、Ｊｂ、Ｊｃ、Ｊｄの成否およびインク消費量を示す。なお、図４で「○」印は成功を示し、「×」印は失敗を示す。
【００２５】
図５は本発明の第１実施形態で実行されるコスト管理動作を示すフローチャートである。図６は図５のフローチャートで実行されるコスト算出での一動作例を示す図である。ステップＳ２０１では、ユーザーは、コスト管理の対象期間（例えば、直近の６ヶ月）をコスト管理装置５のコスト算出部５１に設定する。そして、コスト算出部５１は、対象期間のジョブデータＤｊを情報取得部５３から取得し（ステップＳ２０２）、コストを算出する（ステップＳ２０３）。
【００２６】
このステップＳ２０３では、コスト算出部５１は、取得したジョブデータＤｊから、図６に示すような前身頃用、後身頃用、右袖用および左袖用の印刷ジョブＪａ、Ｊｂ、Ｊｃ、Ｊｄの成功回数を抽出する。そして、印刷ジョブＪａ、Ｊｂ、Ｊｃ、Ｊｄのうち実行順序が最後の印刷ジョブＪｄの成功回数（７９回）が良品Ｔシャツの生産枚数として採用される。この際、コスト算出部５１は、印刷管理装置３から取得した実行順序ＩＤから、印刷ジョブＪａ、Ｊｂ、Ｊｃ、Ｊｄの実行順序を判断する。
【００２７】
また、コスト算出部５１は、生産枚数（７９枚）の良品Ｔシャツ（すなわち、前身頃、後身頃、右袖および左袖の全部分への印刷が成功したＴシャツ）の生産に要したインクの消費量（良品生産インク消費量）をジョブデータＤｊから抽出する。具体的には、印刷ジョブＪａ、Ｊｂ、Ｊｃ、Ｊｄそれぞれの成功時のトータルのインク消費量Ｑａ、Ｑｂ、Ｑｃ、Ｑｄを、印刷ジョブＪｄとの成功回数の比で重み付けして加算した値、すなわち
Ｑａ×（７９／９５）＋Ｑｂ×（７９／８９）＋Ｑｃ×（７９／８９）＋Ｑｄ
が、良品生産インク消費量として求められる。
【００２８】
さらに、コスト算出部５１は、インク単価（例えば、１ｍｌあたり）とＴシャツ単価（１枚あたり）とを情報取得部５３から読み出す。これらインク単価およびＴシャツ単価は予めユーザーにより情報取得部５３に設定されている。そして、コスト算出部５１は、生産枚数の良品Ｔシャツの生産に要した良品コストを、次式
良品コスト＝良品生産インク消費量×インク単価＋生産枚数×Ｔシャツ単価
に基づき算出する。また、コスト算出部５１は、良品コストを生産枚数で除算して、単位良品コスト（良品Ｔシャツ１枚あたりのコスト）を算出する。
【００２９】
さらに、コスト算出部５１は、対象期間におけるトータルのインクの消費量Ｑｔと、印刷ジョブＪａ、Ｊｂ、Ｊｃ、Ｊｄのうち実行順序が最初の印刷ジョブＪａの実行回数とをジョブデータＤｊから抽出して、当該実行枚数をＴシャツの消費枚数として採用する。そして、コスト算出部５１は、次式
トータルコスト＝トータルインク消費量Ｑｔ×インク単価＋消費枚数×Ｔシャツ単価
に基づき、トータルコストを産出する。そして、コスト算出部５１は、印刷ジョブＪａ、Ｊｂ、Ｊｃ、Ｊｄのうちいずれかが失敗したＴシャツに費やされた不良品コストを、次式
不良品コスト＝トータルコスト−良品コスト
に基づき算出する。
【００３０】
ステップＳ２０４では、こうして算出された良品コスト、単位良品コスト、トータルコストおよび不良品コストの少なくとも１つがディスプレイに表示される。これによって、ユーザーは、Ｔシャツに対する印刷処理に関するコストを把握することができる。
【００３１】
以上に説明したように第１実施形態では、複数の印刷ジョブＪａ、Ｊｂ、Ｊｃ、Ｊｄの１枚のＴシャツに対する実行順序を示す実行順序ＩＤと、複数の印刷ジョブＪａ、Ｊｂ、Ｊｃ、Ｊｄそれぞれの成功回数を示すジョブデータＤｊとが取得される。そして、実行順序ＩＤおよびジョブデータＤｊに基づき、複数のＴシャツに対する印刷処理に関するコストが算出される。こうして、複数の印刷ジョブＪａ、Ｊｂ、Ｊｃ、Ｊｄを１枚のＴシャツに実行する印刷態様に応じて、コスト（良品コスト、単位良品コスト、トータルコストあるいは不良品コスト等）を算出することが可能となっている。
【００３２】
この際、コスト算出部５１は、複数の印刷ジョブＪａ、Ｊｂ、Ｊｃ、Ｊｄの全てが成功したＴシャツの生産に要した良品コストを算出する。かかる構成では、複数の印刷ジョブＪａ、Ｊｂ、Ｊｃ、Ｊｄを１枚のＴシャツに実行する印刷態様に応じて良品コストを算出することができる。
【００３３】
具体的には、コスト算出部５１は、複数の印刷ジョブＪａ、Ｊｂ、Ｊｃ、Ｊｄのうち最後に実行される印刷ジョブＪｄの成功回数をジョブデータＤｊから求めた結果に基づき、良品コストを算出する。つまり、Ｔシャツに印刷を行う現場では、複数の印刷ジョブＪａ、Ｊｂ、Ｊｃ、Ｊｄが実行順序に従って順に１枚のＴシャツに対して実行される。また、かかる現場では、１枚のＴシャツに対する複数の印刷ジョブＪａ、Ｊｂ、Ｊｃ、Ｊｄのうち一の印刷ジョブが失敗すると、実行順序において一の印刷ジョブより後の印刷ジョブを中止することが合理的な運用である。なぜなら、後の印刷ジョブに要するコストをカットできるからである。そして、かかる運用によれば、複数の印刷ジョブＪａ、Ｊｂ、Ｊｃ、Ｊｄのうち最後に実行される印刷ジョブＪｄの成功回数が、良品Ｔシャツの生産枚数となる。そこで、この成功回数に基づき良品コストを算出することで、良品コストを的確に求めることが可能となる。
【００３４】
また、コスト算出部５１は、複数の印刷ジョブＪａ、Ｊｂ、Ｊｃ、Ｊｄのいずれかが失敗したメディアに費やした不良品コストを算出する。かかる構成では、複数の印刷ジョブＪａ、Ｊｂ、Ｊｃ、Ｊｄを１枚のＴシャツに実行する印刷態様に応じて不良品コストを算出することができる。
【００３５】
この際、コスト算出部５１は、複数のＴシャツに対する印刷処理に要したトータルコストから良品コストを減算することで不良品コストを算出する。これによって、不良品コストを簡便に算出することができる。
【００３６】
図７は本発明の第２実施形態で実行される印刷動作を示すフローチャートであり、図８は図７のフローチャートで収集されるジョブデータの一例を示す図である。以下では、第１実施形態と異なる部分を中心に説明することとし、共通する部分は適宜説明を省略する。ただし、共通する部分を備えることで、同様の効果が奏されることは言うまでもない。
【００３７】
ステップＳ３０１では、ステップＳ１０１と同様に、前身頃用、後身頃用、右袖用および左袖用の印刷ジョブＪａ、Ｊｂ、Ｊｃ、Ｊｄが生成されて、記憶部３３に保存される。  ステップＳ３０２では、ユーザーは、複数のＴシャツを識別するためのアイテムＩＤを印刷管理装置３に設定する。例えば、各Ｔシャツに対しては１、２、３、…等の番号がアイテムＩＤとして設定される。これによって、印刷ジョブＪａ、Ｊｂ、Ｊｃ、Ｊｄは、実行対象となるＴシャツのアイテムＩＤに関連付けられるとともに、ユーザーは、そのアイテムＩＤを示すタグ等をＴシャツに取り付ける。
【００３８】
ステップＳ３０３では、印刷ジョブＪａ、Ｊｂ、Ｊｃ、Ｊｄのそれぞれがプリンター１Ａ、１Ｂ、１Ｃ、１Ｄに送信されて、プリンター１Ａ、１Ｂ、１Ｃ、１Ｄは受信した印刷ジョブＪａ、Ｊｂ、Ｊｃ、Ｊｄを、当該印刷ジョブＪａ、Ｊｂ、Ｊｃ、Ｊｄに関連付けられたＴシャツに実行する。また、ステップＳ３０３と並行して、印刷ジョブＪａ、Ｊｂ、Ｊｃ、Ｊｄの実行状況を示すジョブデータＤｊがプリンター１Ａ、１Ｂ、１Ｃ、１Ｄからコスト管理装置５に転送されて、情報取得部５３に記憶される（ステップＳ３０４）。図８に示すように、ジョブデータＤｊは、前身頃用、後身頃用、右袖用および左袖用の印刷ジョブＪａ、Ｊｂ、Ｊｃ、Ｊｄの成否およびインク消費量を、アイテムＩＤ毎に示す。なお、図８で「○」印は成功を示し、「×」印は失敗を示す。
【００３９】
そして、第２実施形態においても、図５のフローチャートに基づきコスト管理が実行される。ただし、第２実施形態では、ステップＳ２０３におけるコスト算出の具体的方法が異なる。つまり、コスト算出部５１は、複数の印刷ジョブＪａ、Ｊｂ、Ｊｃ、Ｊｄの実行に要したコストを、同一のアイテムＩＤに関連付けられたインク消費量の和に基づき、アイテムＩＤ毎に求める。例えば、アイテムＩＤが１のＴシャツについては、インク消費量の和（２９ｍｌ＝１０＋１２＋３＋４）にインク単価を乗じた値に、Ｔシャツの単価を加えた値を、当該Ｔシャツの生産コストとして算出する。当該Ｔシャツは、良品Ｔシャツであるため、こうして算出された値は単位良品コストに相当する。また、アイテムＩＤが２のＴシャツについては、インク消費量の和（１２ｍｌ＝１０＋２）にインク単価を乗じた値に、Ｔシャツの単価を加えた値を、当該Ｔシャツの生産コストとして算出する。当該Ｔシャツは不良品Ｔシャツであるため、こうして算出された値に基づき、不良品Ｔシャツにより失われたコストを把握することができる。
【００４０】
以上に説明したように第２実施形態では、印刷処理の対象となる複数のＴシャツのそれぞれを識別するアイテムＩＤが生成され、印刷ジョブＪａ、Ｊｂ、Ｊｃ、Ｊｄの実行に伴うインク消費量が、印刷ジョブＪａ、Ｊｂ、Ｊｃ、Ｊｄの実行対象となったメディアのアイテムＩＤと関連付けて記憶される。そして、同一のアイテムＩＤに関連付けられたインク消費量の和に基づき、複数の印刷ジョブＪａ、Ｊｂ、Ｊｃ、Ｊｄの実行に要したコストがＴシャツ毎に算出される。したがって、１枚のＴシャツに対する複数の印刷ジョブＪａ、Ｊｂ、Ｊｃ、Ｊｄの実行に伴うコストを、個々のＴシャツについて算出することが可能となっている。その結果、複数の印刷ジョブＪａ、Ｊｂ、Ｊｃ、Ｊｄを１枚のＴシャツに実行する印刷態様に応じて、コストを算出することが可能となっている。
【００４１】
第２実施形態においては印刷ジョブＪａ、Ｊｂ、Ｊｃ、Ｊｄの実行に伴うインク消費量が、印刷ジョブＪａ、Ｊｂ、Ｊｃ、Ｊｄの実行対象となったメディアのアイテムＩＤと関連付けて記憶されるため、予め定められた印刷順序でなくとも、１枚のＴシャツに対する複数の印刷ジョブＪａ、Ｊｂ、Ｊｃ、Ｊｄの実行に伴うコストを算出することができる。例えばプリンター１Ａ、１Ｂ、１Ｃ、１Ｄで並列して印刷を実行する場合、前身頃、後身頃、右袖および左袖の印刷順序が複数のＴシャツそれぞれで違っていてもコストを算出することが可能となる。
【００４２】
以上のように、上記実施形態では、コスト管理装置５が本発明の「印刷コスト管理装置」の一例に相当し、コスト算出部５１が本発明の「コスト算出部」の一例に相当し、情報取得部５３が本発明の「情報取得部」あるいは「記憶部」の一例に相当し、プリンター１Ａ〜１Ｄが本発明の「印刷システム」の一例として機能し、ジョブデータＤｊが本発明の「成功回数情報」の一例に相当し、複数の印刷ジョブＪａ、Ｊｂ、Ｊｃ、Ｊｄが本発明の「複数の印刷ジョブ」の一例に相当し、Ｔシャツが本発明の「メディア」の一例に相当し、アイテムＩＤが本発明の「識別子」の一例に相当する。
【００４３】
なお、本発明は上記実施形態に限定されるものではなく、その趣旨を逸脱しない限りにおいて上述したものに対して種々の変更を加えることが可能である。例えば、図９に示すように変形することもできる。ここで、図９は本発明の第３実施形態を模式的に示す図である。第３実施形態では、印刷管理装置３がプリンター１毎に設けられている。そして、４台の印刷管理装置３のそれぞれは、対応するプリンター１Ａ、１Ｂ、１Ｃ、１Ｄに対して、対応する印刷ジョブＪａ、Ｊｂ、Ｊｃ、Ｊｄを送信するとともに、これら印刷ジョブＪａ、Ｊｂ、Ｊｃ、Ｊｄの実行状況を示すジョブデータＤｊをコスト管理装置５に送信する。
【００４４】
ちなみに、図１および図９では、印刷ジョブＪａ、Ｊｂ、Ｊｃ、Ｊｄ毎にプリンター１が設けられていた。しかしながら、印刷ジョブＪａ、Ｊｂ、Ｊｃ、Ｊｄを１台のプリンター１により実行しても構わない。
【００４５】
また、コスト管理装置５は社内サーバもしくはクラウドサーバー上で実現されており、印刷管理装置３とは公衆通信回線を介して通信することとしてもよい。当該構成によれば、例えばコスト管理装置５は同一企業内の複数の印刷管理装置３からデータを収集して一元的にコスト情報を管理することができる。
【００４６】
また、第１実施形態では、印刷ジョブＪａ、Ｊｂ、Ｊｃ、Ｊｄの実行順序は、ユーザーにより入力された実行順序ＩＤに基づき判断されていた。しかしながら、コスト算出部５１は、ジョブデータＤｊが示す各印刷ジョブＪａ、Ｊｂ、Ｊｃ、Ｊｄの成功回数からこれらの実行順序を把握してもよい。つまり、実行順序が早い印刷ジョブＪａ、Ｊｂ、Ｊｃ、Ｊｄほど、成功回数が多くなる傾向にある。そこで、コスト算出部５１は、印刷ジョブＪａ、Ｊｂ、Ｊｃ、Ｊｄが成功回数の多い順に実行されたと推測してもよい。
【００４７】
また、良品コスト、単位良品コスト、トータルコストあるいは不良品コスト等のコストの具体的な算出方法は、適宜変更が可能である。
【００４８】
また、印刷処理の対象となるメディアはＴシャツに限られず、例えばロール紙でもよい。具体的にはロール紙の表裏のそれぞれに印刷ジョブを実行する場合には、本発明を適用可能である。この場合、「メディア」の単位は、表裏それぞれの画像のうち長い方の画像を含むように設定し、メディア単価（上記実施形態でのＴシャツ単価に相当）はこの単位に基づき設定すればよい。
【符号の説明】
【００４９】
１、１Ａ〜１Ｄ…プリンター（印刷システム）、５…コスト管理装置（印刷コスト管理装置）、５１…コスト算出部、５３…情報取得部（記憶部）、Ｄｊ…ジョブデータ（成功回数情報）、Ｊａ、Ｊｂ、Ｊｃ、Ｊｄ…印刷ジョブ
【図１】
2019045935.tif 000003
【図２】
2019045935.tif 000004
【図３】
2019045935.tif 000005
【図４】
2019045935.tif 000006
【図５】
2019045935.tif 000007
【図６】
2019045935.tif 000008
【図７】
2019045935.tif 000009
【図８】
2019045935.tif 000010
【図９】
2019045935.tif 000011